(57)【特許請求の範囲】
【請求項１】
測定対象についての被測定量を繰り返し測定して測定値を順次出力する測定処理を実行する測定部、測定装置側無線通信部、および前記測定部を制御して前記測定処理を実行させると共に前記測定装置側無線通信部を制御して前記測定値を外部装置に送信させる測定装置側制御部を備え、
前記測定装置側制御部は、前記測定部を制御して予め規定された第１の時間に亘って前記測定処理を実行させると共に予め規定された送信条件を満たす前記測定値が当該測定部から出力されたか否かを判別する第１の処理を当該第１の時間よりも長い周期で繰り返し実行し、前記第１の処理において前記送信条件を満たす前記測定値が前記測定部から出力されたときに、前記測定装置側無線通信部を制御して当該送信条件を満たす当該測定値を含む前記第１の時間以下の予め規定された第２の時間分の前記測定値を前記外部装置に送信させる第２の処理を、当該送信条件を満たす当該測定値が出力されたと判別した当該第１の処理の前記周期内に実行する測定装置。
【請求項２】
請求項１記載の測定装置と、
携帯端末側無線通信部、および当該携帯端末側無線通信部によって受信された前記測定値に基づいて前記被測定量の変化を示す信号波形を表示部に表示させる携帯端末側制御部を備えた前記外部装置としての携帯端末装置とを備えている測定システム。
【発明の詳細な説明】
【技術分野】
【０００１】
本発明は、測定処理を実行して測定値を出力する測定装置、およびそのような測定装置と測定値に基づいて被測定量の変化を示す信号波形を表示する携帯端末装置とを備えた測定システムに関するものである。
【背景技術】
【０００２】
出願人は、測定対象の導線を流れる電流を測定可能なクランプ式の電流測定装置（以下、単に「測定装置」ともいう）を下記の特許文献に開示している。この測定装置を用いた電流の測定に際しては、測定対象の導線をクランプ部によってクランプした状態において操作部の測定キーを操作する。これにより、制御部が測定処理を実行し、導線を流れる電流の電流値が測定されると共に、測定値（電流値）が記憶部に記憶され、かつ表示部に測定結果が表示される。
【先行技術文献】
【特許文献】
【０００３】
【特許文献１】特開２００９−６９０８９号公報（第４−８頁、第１−４図）
【発明の概要】
【発明が解決しようとする課題】
【０００４】
ところが、出願人が開示している測定装置には、以下のような改善すべき課題が存在する。すなわち、出願人が開示している測定装置では、測定対象の導線をクランプ部によってクランプした状態で導線を流れる電流の電流値を測定し、測定した電流値（数値）を表示部に表示させる構成が採用されている。
【０００５】
この場合、測定対象をクランプした状態で測定処理を実行する構成の測定装置では、高所や狭所などに配設された測定対象をクランプした状態において表示部を視認するのが困難となり、これに起因して、表示されている測定値の把握が困難となることがある。また、測定結果を数値によって表示させる構成の測定装置では、例えば、測定対象を流れる電流の電流値が極く短い周期で変化しているときに、逐次変化する測定値（電流値）の読み取りが困難であることに起因して、測定値の変化の状態（どの程度、どのように変化しているか）を把握するのが困難となっている。
【０００６】
この場合、測定装置にホールドキーを設け、表示部の視認が困難な状態で測定される測定値をホールドキーの操作によってホールド可能とすることにより、クランプ部による測定対象のクランプを解除して表示部を容易に視認できる状態において、表示部に表示されている（ホールドされている）測定値を容易に読み取ることが可能となる。しかしながら、そのような構成（使用方法）を採用した場合には、測定値の変化の状態を把握することができなくなる。
【０００７】
そこで、出願人は、上記の測定装置を改良し、信号ケーブルを介してパーソナルコンピュータ等の表示装置と接続可能とし、かつ信号ケーブルを介して表示装置に測定値を順次出力可能とすることにより、測定装置から出力される測定値に基づき、その測定値の変化の状態を示す信号波形を表示装置の表示部に表示させる構成の測定システムを開発した。これにより、測定対象が高所や狭所などに配設されている状態（測定装置の表示部の視認が困難な状態）であっても、信号ケーブルを介して測定装置に接続された表示装置の表示部に表示される信号波形を参照することで、測定値の変化の状態を確実かつ容易に把握することが可能となった。
【０００８】
しかしながら、出願人が開発した測定システムの構成では、例えば、複数の導線や電子部品が密集して配設されている配電盤等の導線を測定対象とするときに、測定装置と表示装置とを接続する信号ケーブルが邪魔となり、測定装置を設置する作業（測定対象をクランプする作業）が煩雑となることがある。また、出願人が開発した測定システムの構成では、例えば、工作機械等の可動部品の近傍に配設されている導線を測定対象とするときに、信号ケーブルが工作機械に巻き込まれて切断されることのないようにこれを固定する必要があることから、測定装置を設置する作業が煩雑となる。このため、この点を改善するのが好ましい。
【０００９】
本発明は、かかる改善すべき課題に鑑みてなされたものであり、煩雑な設置作業を必要とすることなく、測定装置から離れた場所でも測定値の変化の状態を確実かつ容易に把握し得る測定装置および測定システムを提供することを主目的とする。
【課題を解決するための手段】
【００１０】
上記目的を達成すべく、請求項１記載の測定装置は、測定対象についての被測定量を繰り返し測定して測定値を順次出力する測定処理を実行する測定部、測定装置側無線通信部、および前記測定部を制御して前記測定処理を実行させると共に前記測定装置側無線通信部を制御して前記測定値を外部装置に送信させる測定装置側制御部を備え、前記測定装置側制御部は、前記測定部を制御して予め規定された第１の時間に亘って前記測定処理を実行させると共に予め規定された送信条件を満たす前記測定値が当該測定部から出力されたか否かを判別する第１の処理を当該第１の時間よりも長い周期で繰り返し実行し、前記第１の処理において前記送信条件を満たす前記測定値が前記測定部から出力されたときに、前記測定装置側無線通信部を制御して当該送信条件を満たす当該測定値を含む前記第１の時間以下の予め規定された第２の時間分の前記測定値を前記外部装置に送信させる第２の処理を、当該送信条件を満たす当該測定値が出力されたと判別した当該第１の処理の前記周期内に実行する。
【００１１】
また、請求項２記載の測定システムは、請求項１記載の測定装置と、携帯端末側無線通信部、および当該携帯端末側無線通信部によって受信された前記測定値に基づいて前記被測定量の変化を示す信号波形を表示部に表示させる携帯端末側制御部を備えた前記外部装置としての携帯端末装置とを備えている。
【発明の効果】
【００１２】
請求項１記載の測定装置では、測定装置側制御部が、測定部を制御して予め規定された第１の時間に亘って測定処理を実行させると共に予め規定された送信条件を満たす測定値が測定部から出力されたか否かを判別する第１の処理を第１の時間よりも長い周期で繰り返し実行すると共に、第１の処理において送信条件を満たす測定値が測定部から出力されたときに、測定装置側無線通信部を制御して送信条件を満たす測定値を含む第１の時間以下の予め規定された第２の時間分の測定値を外部装置に送信させる第２の処理を実行する。また、請求項２記載の測定システムでは、請求項１記載の測定装置と、携帯端末側無線通信部によって受信された測定値に基づいて被測定量の変化を示す信号波形を表示部に表示させる携帯端末側制御部を備えた外部装置としての携帯端末装置とを備えている。
【００１３】
したがって、請求項１記載の測定装置、および請求項２記載の測定システムによれば、信号ケーブルによって測定装置と携帯端末装置とを接続することなく、測定装置から携帯端末装置に測定値を送信することができるため、設置作業の妨げとなる信号ケーブルが存在しない分だけ、測定対象に対して測定装置を容易に設置することができると共に、測定装置の表示部の視認が困難な高所や狭所などに測定装置を設置した状態であっても、測定装置から離れた任意の位置に携帯端末装置を位置させて携帯端末側表示部に表示される信号波形を視認することができるため、被測定量の変化を確実かつ容易に把握することができる。また、測定装置において測定された測定値のすべてを携帯端末装置に対して送信させる構成の測定システムとは異なり、第２の時間分の測定値を極く短い周期で測定装置から携帯端末装置に断続的に送信することで、携帯端末装置において被測定量の変化をリアルタイムに把握することができる。
【図面の簡単な説明】
【００１４】
【図１】測定システムの構成を示す構成図である。
【図２】測定処理、送信処理・受信処理および表示処理の関係について説明するための説明図である。
【図３】測定部１１から測定値Ｄｓが出力される時間長（測定処理の時間長：時間Ｔ２）と、電流測定装置１から送信される測定値データＤの時間長（時間Ｔ３）との関係について説明するための説明図である。
【図４】測定部１１から測定値Ｄｓが出力される時間長（測定処理の時間長：時間Ｔ２）と、電流測定装置１から送信される測定値データＤの時間長（時間Ｔ３）との他の関係について説明するための説明図である。
【発明を実施するための形態】
【００１５】
以下、測定装置および測定システムの実施の形態について、添付図面を参照して説明する。
【００１６】
図１に示す測定システム１００は、「測定システム」の一例であって、「測定装置」の一例である電流測定装置１、および「外部装置」としての「携帯端末装置」の一例であるスマートフォン２を備えて構成されている。この場合、「スマートフォン」は、広義には、ＰＤＡ（携帯情報端末）の機能を有する携帯電話を意味するが、本明細書では、この広義の「スマートフォン」のうちの「各種プログラムのインストールによって、任意の機能を付加したり、端末の操作環境や表示環境等をカスタマイズしたりすることができるもの」を「スマートフォン」という。
【００１７】
なお、本例の測定システム１００では、スマートフォン２に代えて、各種のタブレット端末や携帯型パーソナルコンピュータなどの汎用の電子機器、または専用の波形表示装置などの各種の「携帯端末装置」を備えて構成することもできるが、「測定システム」についての理解を容易とするために、それらの「携帯端末装置」を備えた構成についての図示および説明を省略する。また、この測定システム１００については、複数台の電流測定装置１、および複数台のスマートフォン２（携帯端末装置）を備えて構成することもできるが、発明についての理解を容易とするために、１台の電流測定装置１、および１台のスマートフォン２で構成した例について以下に説明する。
【００１８】
電流測定装置１は、測定部１１、操作部１２、表示部１３、無線通信部１４、制御部１５および記憶部１６を備えている。測定部１１は、図示しないクランプ部（電流検出センサ部）を備えると共に、後述するように、制御部１５の制御に従い、クランプ部によってクランプしている導線等（「測定対象」の一例）を流れる電流の電流値（「被測定量」の一例）を所定の周期（一例として、０．１ｍｓ間隔の周期）で測定して測定値Ｄｓを順次出力する「測定処理」を実行する。
【００１９】
操作部１２は、電流測定装置１の動作条件を設定するためのスイッチや、測定処理を開始／停止させるスタート／ストップスイッチなどの各種の操作スイッチを備え、スイッチ操作に応じた操作信号を制御部１５に出力する。表示部１３は、制御部１５の制御に従い、電流測定装置１の動作状態や測定結果を表示する。この場合、本例の電流測定装置１では、一例として、測定結果（電流値）を数値で表示可能な液晶表示器を備えて表示部１３が構成されている。
【００２０】
無線通信部１４は、「測定装置側無線通信部」に相当し、一例として、ブルートゥース（Bluetooth ：登録商標）規格に準じた近距離無線通信を実行可能に構成されている。この無線通信部１４は、後述するように、予めペアリングされた無線通信機器（スマートフォン２等）との間で無線接続を確立し、接続を確立した機器に対する各種データの送信処理、および接続を確立した機器からの各種データの受信処理を実行する。
【００２１】
制御部１５は、電流測定装置１を総括的に制御する。具体的には、制御部１５は、「測定装置側制御部」に相当し、測定部１１を制御して「測定処理」を実行させると共に、測定部１１から出力される測定値Ｄｓを記憶部１６に記憶させ、かつ記憶させた測定値Ｄｓに基づいて測定値（電流値）を表示部１３に表示させると共に、後述する「送信条件」を満たす測定値Ｄｓが測定部１１から出力されたか否かを判別する「第１の処理」を繰り返し実行する。また、制御部１５は、「第１の処理」において「送信条件」を満たす測定値Ｄｓが測定部１１から出力されたときに、「送信条件」を満たす測定値Ｄｓを含む所定時間分の測定値Ｄｓに基づいて測定値データＤを生成し、無線通信部１４を制御してスマートフォン２に送信させる「第２の処理」を実行する。記憶部１６は、上記の測定値Ｄｓなどを一時的に記憶する。
【００２２】
一方、スマートフォン２は、後述するように、この測定システム１００専用の測定システム用プログラムＤｐがインストールされた既存の「スマートフォン」で構成されている。具体的には、スマートフォン２は、本体メモリ２１、操作部２２、表示部２３、無線通信部２４、制御部２５およびメモリ装着部２６を備えている。なお、スマートフォン２における「携帯電話としての機能」や「ＰＤＡとしての機能」を実現するための構成要素については公知のため、図示および説明を省略する。
【００２３】
本体メモリ２１は、スマートフォン２の動作プログラムを記憶すると共に、測定システム用プログラムＤｐ等の各種プログラム（利用者がインストールしたプログラム）や測定値データＤなどを記憶する。なお、測定システム用プログラムＤｐ等のプログラムの一部や測定値データＤについては、メモリ装着部２６に装着された外部メモリＭに記憶させることもできる。この場合、測定システム用プログラムＤｐは、後述するようにして、制御部２５が、電流測定装置１から送信される測定値データＤに基づいて表示部２３に信号波形を表示させる際の処理手順などが記録されている。
【００２４】
操作部２２は、電源スイッチ等の物理的な操作スイッチと、表示部２３の表面側に配設されたタッチパネルとを備え、これらの操作に応じた操作信号を制御部２５に出力する。表示部２３は、制御部２５の制御に従って波形表示画面などの各種の表示画面（図示せず）を表示する。無線通信部２４は、「携帯端末側無線通信部」に相当し、電流測定装置１の無線通信部１４と同様にして、ブルートゥース規格に準じた近距離無線通信を実行可能に構成されている。この無線通信部２４は、後述するように、電流測定装置１との間でペアリングされた状態において、制御部２５の制御に従って電流測定装置１に対する各種制御データの送信や、電流測定装置１から送信された測定値データＤの受信などを実行する。
【００２５】
制御部２５は、スマートフォン２を総括的に制御する。この制御部２５は、「携帯端末側制御部」に相当し、前述した測定システム用プログラムＤｐに従い、無線通信部２４によって受信された測定値データＤに基づき、電流測定装置１によって測定された電流値（被測定量）の変化を示す信号波形を表示部２３に表示させる。メモリ装着部２６は、外部メモリ（メモリーカード）Ｍを装着可能に構成されると共に、制御部２５の制御に従い、測定システム用プログラムＤｐの一部や測定値データＤなどを外部メモリＭに記憶させる。
【００２６】
この測定システム１００の使用に際しては、まず、スマートフォン２に測定システム用プログラムＤｐをインストールする。この測定システム用プログラムＤｐについては、一例として、インターネット内の任意のサイトからダウンロードして使用するようにしたり、電流測定装置１の附属品としてインストール用光ディスクを提供したりすることができる。なお、測定システム用プログラムＤｐのインストール作業に関しては、「スマートフォン」に対する各種プログラムのインストール作業と同様のため、詳細な説明を省略する。
【００２７】
次いで、電流測定装置１とスマートフォン２との間においてブルートゥースのペアリングを行う。なお、ペアリング作業に関しては、公知の各種ブルートゥース機器のペアリング作業と同様のため、詳細な説明を省略する。これにより、電流測定装置１の無線通信部１４とスマートフォン２の無線通信部２４との間の無線通信が可能な状態となり、測定システム１００を使用する準備が整う。このように、スマートフォン２に対する測定システム用プログラムＤｐのインストール、および電流測定装置１とスマートフォン２とのペアリング作業を予め実施しておくことにより、電流測定装置１による測定処理、およびスマートフォン２における信号波形の表示処理を迅速に開始することが可能となる。
【００２８】
一方、例えば、配電盤に配設された電源線（導線：図示せず）を流れる電流の電流値を測定する際には、電流測定装置１の測定部１１（クランプ部）によって測定対象の電源線をクランプする。なお、電流測定装置１に対する測定条件の設定作業については完了しているものとする。また、本例の電流測定装置１では、以下に説明するようにスマートフォン２に測定結果（電流値の変化を示す信号波形）を表示させる使用態様のみならず、電流測定装置１を単独で使用して測定値（電流値）を表示部１３に表示させることもできるが、「測定システム」についての理解を容易とするために、電流測定装置１を単独で使用する使用態様に関する説明を省略する。
【００２９】
次いで、スマートフォン２の操作部２２を操作して無線通信部２４をオン状態にすると共に測定システム用プログラムＤｐを起動させる。この際には、上記のようにペアリング作業が完了している無線通信部１４，２４間における無線通信が可能な状態になると共に、制御部２５が測定システム用プログラムＤｐの記述に従って信号波形表示画面（図示せず）を表示部２３表示させる。なお、後述する「送信条件」が満たされておらず、電流測定装置１から測定値データＤが送信されていないこの時点においては、信号波形が表示されていない信号波形表示画面が表示部２３に表示される。
【００３０】
続いて、電流測定装置１の操作部１２におけるスタート／ストップスイッチを操作する。この際に、制御部１５は、測定部１１を制御して「測定処理」を実行させると共に、測定部１１から出力される測定値Ｄｓの記憶部１６への記憶、測定値Ｄｓに基づく測定値（電流値）の表示部１３への表示、および「送信条件」を満たす測定値Ｄｓが出力されたか否かの判別を「第１の処理」として繰り返し実行する。具体的には、制御部１５は、図２に示すように、測定部１１を制御して時間Ｔ２（一例として１２０ｍｓ：「予め規定された第１の時間」の一例）に亘って「測定処理」を実行させると共に、測定部１１から出力される測定値Ｄｓを記憶部１６に順次記憶させ、かつ測定値Ｄｓの値を表示部１３に表示させると共に、予め規定された「送信条件」を満たす測定値Ｄｓが測定部１１から出力されたか否かを判別する処理を「第１の処理」として時間Ｔ１の周期（一例として、５００ｍｓ間隔の周期：「第１の時間よりも長い周期」の一例）で繰り返し実行する。
【００３１】
この場合、例えば、上記の測定対象に交流電流が供給されている状態において、その交流電流の信号波形をスマートフォン２の表示部２３に表示させるときには、一例として、「電流波形がゼロクロスするような測定値（電流値）が受信されたとき」との条件を「送信条件」として予め設定しておくことにより、制御部１５が、測定部１１から出力される測定値Ｄｓを監視して、例えば「０ｍＡ」との測定値Ｄｓに続いて「０ｍＡ」以外の測定値Ｄｓが出力されたときに、「送信条件」が満たされたと判別する。この際に、制御部１５は、「送信条件」が満たされた測定値Ｄｓを含む時間Ｔ３（一例として、１００ｍｓ：「第２の時間」の一例）分の測定値Ｄｓに基づいて測定値データＤを生成し、無線通信部１４を制御してスマートフォン２に測定値データＤを送信させる処理を「第２の処理」として実行する。
【００３２】
具体的には、例えば、図２に示す時点ｔ１ａ〜ｔ１ｂの時間Ｔ２の間や、時点ｔ２ａ〜ｔ２ｂの時間Ｔ２の間に測定対象に対して交流電流が供給されていなかったときには、測定部１１から出力される測定値Ｄｓが「送信条件」を満たさない状態となる。したがって、制御部１５は、「送信条件」を満たす測定値Ｄｓが存在しないと判別し、上記の「第２の処理」を実行することなく、「第１の処理」を繰り返し実行する。
【００３３】
一方、時点ｔ２ｂ以降に測定対象に対する交流電流の供給が開始され、その電流値が電流測定装置１（測定部１１）によって時点ｔ３ａ〜ｔ３ｂの時間Ｔ２において測定されたときには、測定部１１から出力される測定値Ｄｓが「送信条件」を満たす状態となる。この際に、制御部１５は、図３に示すように、一例として、時点ｔ３ａ〜ｔ３ｂの時間Ｔ２の間に測定部１１から出力された測定値Ｄｓを解析し、時点ｔ３１において例えば「０ｍＡ」との測定値Ｄｓが出力され、続いて「０ｍＡ」よりも大きな値の測定値Ｄｓが出力されていたときに「送信条件」が満たされたと判別し、時点ｔ３１〜ｔ３２までの時間Ｔ３分の測定値Ｄｓに基づいて測定値データＤを生成して無線通信部１４からスマートフォン２に送信させる。
【００３４】
また、図２に示す時点ｔ３ｂ以降も測定対象に対する交流電流の供給が継続されているときには、電流測定装置１（測定部１１）によって時点ｔ４ａ〜ｔ４ｂの時間Ｔ２において測定された測定値Ｄｓも「送信条件」を満たす状態となる。この際に、制御部１５は、図３に示すように、一例として、時点ｔ４ａ〜ｔ４ｂの時間Ｔ２の間に測定部１１から出力された測定値Ｄｓを解析し、時点ｔ４１において例えば「０ｍＡ」との測定値Ｄｓが出力され、続いて「０ｍＡ」よりも大きな値の測定値Ｄｓが出力されていたときに「送信条件」が満たされたと判別し、時点ｔ４１〜ｔ４２までの時間Ｔ３分の測定値Ｄｓに基づいて測定値データＤを生成して無線通信部１４からスマートフォン２に送信させる。
【００３５】
この場合、信号波形の表示を目的として、測定部１１が０．１ｍｓ間隔の非常に短い周期で測定値Ｄｓを順次出力している本例では、時間Ｔ３＝１００ｍｓの間に測定部１１から出力される測定値Ｄｓの数が多数となる。この際に、出願人が開発した測定システムと同様にして信号ケーブルを介して電流測定装置１とスマートフォン２とを有線接続したときには、測定部１１から順次出力される測定値Ｄｓのすべてをスマートフォン２に対してリアルタイムに送信することができる。
【００３６】
しかしながら、電流測定装置１とスマートフォン２とが無線接続されている本例の測定システム１００では、図２に示すように、例えば、上記の時間Ｔ３分の多数の測定値Ｄｓに基づいて生成した測定値データＤを電流測定装置１からスマートフォン２に送信する（電流測定装置１から送信された測定値データＤをスマートフォン２において受信する）のに時間Ｔ３よりも長い時間Ｔ３ａ（時点ｔ３ｂ〜ｔ３ｃや時点ｔ４ｂ〜ｔ４ｃ）を要することとなる。したがって、本例の測定システム１００では、電流測定装置１からスマートフォン２に対して、信号波形の表示に必要な充分な時間（本例では、時間Ｔ３＝１００ｍｓ）分の測定値Ｄｓ（測定値データＤ）を極く短い周期（時間Ｔ１＝５００ｍｓ間隔の周期）で断続的に送信することで、スマートフォン２において信号波形をリアルタイムに表示させる構成が採用されている。
【００３７】
一方、スマートフォン２では、制御部２５が、測定システム用プログラムＤｐの記述に従い、無線通信部２４によって測定値データＤが受信される都度、その測定値データＤを本体メモリ２１（または、メモリ装着部２６に装着された外部メモリＭ）に記憶させると共に（「受信処理」の実行）、測定値データＤに記録されている時間Ｔ３（本例では、１００ｍｓ）分の測定値Ｄｓに基づく信号波形を表示部２３に表示させる。
【００３８】
具体的には、例えば、図２に示す例では、時点ｔ１ａ〜ｔ１ｂの時間Ｔ２の間や、時点ｔ２ａ〜ｔ２ｂの時間Ｔ２の間に「送信条件」を満たす測定値Ｄｓが測定部１１から出力されず、電流測定装置１から測定値データＤが送信されないため、制御部２５は、信号波形が表示されていない波形表示画面を表示部２３に表示させた状態を維持する。一方、時点ｔ３ｂ〜ｔ３ｃの時間Ｔ３ａにおいて電流測定装置１から測定値データＤが送信されたときに、制御部２５は、この測定値データＤに記録されている時間Ｔ３分の測定値Ｄｓに基づく信号波形（図３における時点ｔ３１〜ｔ３２の間の太線で示す波形）を表示部２３に表示させる（「表示処理」の実行）。
【００３９】
また、時点ｔ４ｂ〜ｔ４ｃの時間Ｔ３ａにおいて電流測定装置１から測定値データＤが送信されたときに、制御部２５は、この測定値データＤに記録されている時間Ｔ３分の測定値Ｄｓに基づく信号波形（図３における時点ｔ４１〜ｔ４２の間の太線で示す波形）を表示部２３に表示させる（「表示処理」の実行）。これにより、図２に示すように、時点ｔ３ｃ〜ｔ４ｃまで波形表示画面に表示されていた信号波形（この例では、図３に示す時点ｔ３１〜ｔ３２の時間Ｔ３分の測定値Ｄｓに基づく信号波形）が、新たな信号波形（この例では、図３に示す時点ｔ４１〜ｔ４２の時間Ｔ３分の測定値Ｄｓに基づく信号波形）に表示替えされる。この後、電流測定装置１による上記の「測定処理」、「第１の処理」および「第２の処理」と、スマートフォン２による信号波形の「表示処理」とが繰り返し実行されることにより、スマートフォン２の表示部２３に表示されている信号波形が、時間Ｔ１＝５００ｍｓ間隔の周期で逐次更新される。
【００４０】
このように、この電流測定装置１では、制御部１５が、測定部１１を制御して予め規定された「第１の時間」（本例では、時間Ｔ２＝１２０ｍｓ）に亘って「測定処理」を実行させると共に予め規定された「送信条件」を満たす測定値Ｄｓが測定部１１から出力されたか否かを判別する「第１の処理」を「第１の時間」よりも長い周期（本例では、時間Ｔ１＝５００ｍｓ間隔の周期）で繰り返し実行すると共に、「第１の処理」において「送信条件」を満たす測定値Ｄｓが測定部１１から出力されたときに、無線通信部１４を制御して「送信条件」を満たす測定値Ｄｓを含む「第１の時間」以下の予め規定された「第２の時間」（本例では、時間Ｔ３＝１００ｍｓ）分の測定値Ｄｓ（測定値データＤ）をスマートフォン２に送信させる「第２の処理」を実行する。また、この測定システム１００では、上記の電流測定装置１と、無線通信部２４によって受信された測定値Ｄｓ（測定値データＤ）に基づいて被測定量の変化を示す信号波形を表示部２３に表示させる制御部２５を備えたスマートフォン２とを備えている。
【００４１】
したがって、この電流測定装置１および測定システム１００によれば、信号ケーブルによって電流測定装置１とスマートフォン２とを接続することなく、電流測定装置１からスマートフォン２に測定値データＤを送信することができるため、設置作業の妨げとなる信号ケーブルが存在しない分だけ、測定対象に対して電流測定装置１を容易に設置する（クランプする）ことができると共に、高所や狭所などの表示部１３の視認が困難な場所に電流測定装置１を設置した状態であっても、電流測定装置１から離れた任意の位置にスマートフォン２を位置させて表示部２３に表示される信号波形を視認することができるため、被測定量の変化を確実かつ容易に把握することができる。また、電流測定装置１において測定された測定値Ｄｓのすべてをスマートフォン２に対して送信させる構成の「測定システム」とは異なり、時間Ｔ３（本例では、１００ｍｓ）分の測定値Ｄｓ（測定値データＤ）を時間Ｔ１（本例では、５００ｍｓ）の間隔の極く短い周期で電流測定装置１からスマートフォン２に断続的に送信することで、スマートフォン２において被測定量の変化をリアルタイムに把握することができる。
【００４２】
なお、「測定装置」および「測定システム」の構成は、上記の電流測定装置１および測定システム１００の構成の例に限定されない。例えば、測定部１１から出力された時間Ｔ２分の測定値Ｄｓ（測定値データＤ）のうちから、「送信条件」を満たす測定値Ｄｓを最先の測定値Ｄｓとする時間Ｔ３分の測定値Ｄｓ（測定値データＤ）を無線通信部１４からスマートフォン２に送信させてスマートフォン２の表示部２３に信号波形を表示させる構成を例に挙げて説明したが、「第２の時間分の測定値」は、上記の「時間Ｔ３分の測定値Ｄｓ」に限定されない。
【００４３】
例えば、図４に示すように、時点ｔ３ａ〜ｔ３ｂの時間Ｔ２分の測定値Ｄｓを解析したときに、時点ｔ３１の測定値Ｄｓが「送信条件」を満たしていたときに、この時点ｔ３１に対して予め規定された時間Ｔ４ａだけ前の時点ｔ３３の測定値Ｄｓを最先の測定値Ｄｓとする時点ｔ３３〜ｔ３４の時間Ｔ３を「第２の時間」として測定値データＤを生成して無線通信部１４からスマートフォン２に送信させることもできる。また、時点ｔ４ａ〜ｔ４ｂの時間Ｔ２分の測定値Ｄｓを解析したときに、時点ｔ４１の測定値Ｄｓが「送信条件」を満たしていたときに、この時点ｔ４１に対して予め規定された時間Ｔ４ｂだけ後の時点ｔ４３の測定値Ｄｓを最先の測定値Ｄｓとする時点ｔ４３〜ｔ４４の時間Ｔ３を「第２の時間」として測定値データＤを生成して無線通信部１４からスマートフォン２に送信させることもできる。
【００４４】
また、「被測定量」として電流値を測定する構成の電流測定装置１を例に挙げて説明したが、電圧値、抵抗値、電力値、位相、温度、湿度、歪み、輝度（光度）、照度、雨量および流量等の各種の「被測定量」を測定する構成を採用することができる。さらに、「測定装置」の一例として、クランプ式の電流測定装置１（測定対象に対して非接触状態で被測定量を測定する非接触型測定装置の一例）を例に挙げて説明したが、クランプ式測定装置以外の非接触型測定装置（例えば、測定対象の空間内に設置されて各種の被測定量を測定する「測定装置」）や、測定対象に対して各種の接触子を介して接続されて各種の被測定量を測定する接触型測定装置において、上記の電流測定装置１と同様に「測定装置側無線通信部」から「携帯端末装置」に測定値を送信する構成を採用することができる。
【符号の説明】
【００４５】
１００  測定システム
１  電流測定装置
２  スマートフォン
１１  測定部
１２，２２  操作部
１３，２３  表示部
１４，２４  無線通信部
１５，２５  制御部
１６  記憶部
２１  本体メモリ
２６  メモリ装着部
Ｄ  測定値データ
Ｄｐ  測定システム用プログラム
Ｄｓ  測定値
Ｍ  外部メモリ
Ｔ１〜Ｔ３，Ｔ３ａ，Ｔ４ａ，Ｔ４ｂ  時間
ｔ１ａ〜ｔ１ｃ，ｔ２ａ〜ｔ２ｃ・・  時点
【図１】
0006445316.tif 000002
【図２】
0006445316.tif 000003
【図３】
0006445316.tif 000004
【図４】
0006445316.tif 000005